(57)【要約】【課題】  一つのリスト中に複数のセクションを設けてスクロールして表示することが可能なリスト情報表示装置およびその制御プログラムに関し、表示領域が小さい場合に、仮にスクロールの表示速度が速くなったとしても、ユーザーがセパレータ表示情報を認識しやすいリスト情報表示装置およびその制御プログラムを提供する。【解決手段】  リスト情報表示装置は、リストの一部を、表示部の少なくとも一部に設定される表示領域の一方端と他方端との間で操作部からの操作指示に基づいてスクロールして表示し、リストが含むセパレータ表示情報が、スクロールにより移動して表示領域の一方端または他方端に到達した場合に、操作部からの操作指示に関わらずリストのスクロールを停止させる。【選択図】  図２
2015103036.tif 000002
【特許請求の範囲】
【請求項１】
リストを表示する表示部と、表示する該リストを構成する複数の表示情報ならびに該リストを表示する制御プログラムを記憶する記憶部と、該制御プログラムを実行する制御部と、該制御部に操作指示を与える操作部と、を備え、
該リストが、複数の該表示情報と、少なくとも２つの該表示情報の間を隔てて表示するセパレータ表示情報と、を含み、該リストの一部を、該表示部の少なくとも一部に設定される表示領域の一方端と他方端との間で該操作部からの操作指示に基づいてスクロールして表示し、
該リストが含む該セパレータ表示情報が、該スクロールにより移動して該表示領域の該一方端または該他方端に到達した場合に、該操作部からの該操作指示に関わらず該リストのスクロールを停止させる、
リスト情報表示装置。
【請求項２】
前記リストが含む前記セパレータ表示情報が、前記スクロールにより移動して前記表示領域の前記一方端または前記他方端に到達して停止した場合に、前記操作部からの前記スクロールの前記操作指示が一度停止して所定時間の経過後にスクロールの操作指示が再びされたときに、該リストのスクロールを再開する、
請求項１に記載のリスト情報表示装置。
【請求項３】
前記リストが含む前記セパレータ表示情報が、前記スクロールにより移動して前記表示領域の前記一方端または前記他方端に到達した場合に前記操作部からの操作指示に関わらず該リストのスクロールを停止させるか、否かを定めるスクロール停止フラッグを含む、
請求項１または２に記載のリスト情報表示装置。
【請求項４】
前記リストが含む前記セパレータ表示情報が、複数の表示情報を納めるフォルダであり、該セパレータ表示情報の直近にリスト表示される該表示情報を少なくとも一つ含む、
請求項１から３のいずれかに記載のリスト情報表示装置。
【請求項５】
請求項１から４のいずれかに記載のリスト情報表示装置の制御プログラム。
【発明の詳細な説明】
【技術分野】
【０００１】
本発明は、リスト情報表示装置およびその制御プログラムに関し、特に、一つのリスト中に複数のセクションを設けてスクロールして表示することが可能なリスト情報表示装置およびその制御プログラムに関する。
【背景技術】
【０００２】
パーソナル・コンピューター、スマートフォン、携帯電話、などの電子機器、ならびに、オーディオ装置、または、ビデオ装置等の映像・音響機器においては、それらの機器を操作するのにＧＵＩ（グラフィック・ユーザー・インターフェイス）が使用される。これらの機器では、ＧＵＩを表示する画面には大きさの限界があるので、コンテンツまたは情報が羅列的に表示されて画面の表示領域に収まりきらないリストを、水平または垂直にスライドさせてその一部を表示するスクロール表示が多用されている。ユーザーは、リストをスクロールさせる操作を行うことで、表示領域に表れるリスト中のコンテンツまたは情報を視認して選択操作することができる（特許文献１、特許文献２）。
【０００３】
例えば、ディスプレイ装置などに表示されるコンテンツリストのスクロールは、その表示領域が比較的に大きく適切な場合には、複数のコンテンツが一度に表示されるので、リストされたコンテンツを視認して選択し易くなる。しかしながら、コンテンツリストの大きさに対して表示領域が比較的に小さい場合には、スクロールしても所望のコンテンツがなかなか出現しないことになるので、視認して選択する操作が困難になるという問題がある。表示領域が比較的に小さい場合には、スクロールの表示速度が速くなる（コンテンツリストの相対的な移動が速くなる）と、表示領域にコンテンツが出現しても見落としてしまう確率も高くなるという問題がある。
【０００４】
従来には、一つのコンテンツリスト中に複数のセクションを設けて、視認性・操作性を向上させたＧＵＩがある。具体的には、複数のセクションを隔てるセパレータにより、単一のコンテンツリストに複数のセクションを収めて異なる情報を表示させることができるようにしている。これにより、ユーザーは、ＧＵＩの遷移画面が少なくなり、操作性が向上する利点がある。
【０００５】
ただし、一つのコンテンツリスト中に複数のセクションを設けても、一つのセクションに収まるコンテンツが多くなると、表示領域が小さい場合には、従来と同様に視認して選択する操作が困難になるという問題がある。例えば、スマートフォンのタッチパネルにおいて、コンテンツリストを移動させるようにフリック動作をした場合には、タッチパネルの表示領域が小さいので、スクロールの表示速度が速くなると複数のコンテンツを区切るセクションの表示さえもユーザーが認識できない場合がある。
【０００６】
【特許文献１】特許第４７４３９１９号公報
【特許文献２】特開２０１１−７６５５５号公報
【発明の概要】
【発明が解決しようとする課題】
【０００７】
本発明は、上記の従来技術が有する問題を解決するためになされたものであり、その目的は、一つのリスト中に複数のセクションを設けてスクロールして表示することが可能なリスト情報表示装置およびその制御プログラムに関し、表示領域が小さい場合に、仮にスクロールの表示速度が速くなったとしても、ユーザーがセパレータ表示情報を認識しやすいリスト情報表示装置およびその制御プログラムを提供することにある。
【課題を解決するための手段】
【０００８】
本発明のリスト情報表示装置は、リストを表示する表示部と、表示するリストを構成する複数の表示情報ならびにリストを表示する制御プログラムを記憶する記憶部と、制御プログラムを実行する制御部と、制御部に操作指示を与える操作部と、を備え、リストが、複数の表示情報と、少なくとも２つの表示情報の間を隔てて表示するセパレータ表示情報と、を含み、リストの一部を、表示部の少なくとも一部に設定される表示領域の一方端と他方端との間で操作部からの操作指示に基づいてスクロールして表示し、リストが含むセパレータ表示情報が、スクロールにより移動して表示領域の一方端または他方端に到達した場合に、操作部からの操作指示に関わらずリストのスクロールを停止させる。
【０００９】
好ましくは、本発明のリスト情報表示装置は、リストが含むセパレータ表示情報が、スクロールにより移動して表示領域の一方端または他方端に到達して停止した場合に、操作部からのスクロールの操作指示が一度停止して所定時間の経過後にスクロールの操作指示が再びされたときに、リストのスクロールを再開する。
【００１０】
好ましくは、本発明のリスト情報表示装置は、リストが含むセパレータ表示情報が、スクロールにより移動して表示領域の一方端または他方端に到達した場合に操作部からの操作指示に関わらずリストのスクロールを停止させるか、否かを定めるスクロール停止フラッグを含む。
【００１１】
また、好ましくは、本発明のリスト情報表示装置は、リストが含むセパレータ表示情報が、複数の表示情報を納めるフォルダであり、セパレータ表示情報の直近にリスト表示される表示情報を少なくとも一つ含む。
【００１２】
また、本発明の制御プログラムは、上記のいずれかのリスト情報表示装置の制御プログラムである。
【００１３】
以下、本発明の作用について説明する。
【００１４】
本発明のリスト情報表示装置は、リストを表示する表示部と、表示するリストを構成する複数の表示情報ならびにリストを表示する制御プログラムを記憶する記憶部と、制御プログラムを実行する制御部と、制御部に操作指示を与える操作部と、を備える。制御プログラムは、リスト情報表示装置の制御プログラムであればよい。リストは、複数の表示情報と、少なくとも２つの表示情報の間を隔てて表示するセパレータ表示情報と、を含み、リストの一部を、表示部の少なくとも一部に設定される表示領域の一方端と他方端との間で操作部からの操作指示に基づいてスクロールして表示する。
【００１５】
ここで、リストが含むセパレータ表示情報が、スクロールにより移動して表示領域の一方端または他方端に到達した場合には、制御プログラムを実行する制御部は、操作部からの操作指示に関わらずリストのスクロールを停止させる。したがって、リスト情報表示装置の表示領域が小さい場合に、仮にスクロールの表示速度が速くなったとしても、複数のコンテンツを区切るセパレータ表示情報がスクロールにより移動して表示領域の一方端または他方端に到達した場合に一度停止するので、ユーザーがセパレータ表示情報を認識しやすくすることができる。
【００１６】
さらに、リスト情報表示装置は、上記の場合に、操作部からのスクロールの操作指示が一度停止して所定時間の経過後にスクロールの操作指示が再びされたときに、リストのスクロールを再開する。したがって、ユーザーがセパレータ表示情報を確認できる所定時間が経過すれば、再びスクロールの操作指示に基づいてリストのスクロールを再開するので、スクロール操作中においてユーザーがセパレータ表示情報を認識しやすくなり、その結果、スクロールするリスト中の表示情報（コンテンツ）を認識しやすくなるという効果がある。
【００１７】
また、リスト情報表示装置は、リストが含むセパレータ表示情報が、スクロールにより移動して表示領域の一方端または他方端に到達した場合に操作部からの操作指示に関わらずリストのスクロールを停止させるか、否かを定めるスクロール停止フラッグを含む。したがって、制御プログラムを実行する制御部は、セパレータ表示情報が、スクロールにより移動して表示領域の一方端または他方端に到達した場合に、そのセパレータ表示情報が含むスクロール停止フラッグが有効に設定されているか否かを判断することができる。
【００１８】
スクロール停止フラッグが有効に設定されている場合には、リストのスクロールを停止させるので、ユーザーがセパレータ表示情報をほぼ認識できるようになる。一方、スクロール停止フラッグが有効に設定されていない（無効に設定されている）場合には、リストのスクロールを停止させないので、リストのスクロールを継続することができる。つまり、スクロール停止フラッグをセパレータ表示情報に含むようにすることで、個別のセパレータ表示情報毎にリストのスクロールを停止させるか否かを制御して、リストをスクロールしてリスト中の表示情報（コンテンツ）を選択する操作が、ユーザーの設定を反映して便利になるという利点がある。
【００１９】
なお、リストが含むセパレータ表示情報は、複数の表示情報を納めるフォルダであってもよい。フォルダは、そのセパレータ表示情報としてのフォルダ名の直近にリスト表示される表示情報として、フォルダに含まれるリスト中の表示情報（コンテンツ）を少なくとも一つ含むものであればよい。つまり、コンテンツリストの複数のコンテンツを包括する上位のフォルダをセパレータ表示情報として利用することで、異なるフォルダがスクロールにより移動して表示領域の一方端または他方端に到達した場合に、操作部からの操作指示に関わらずリストのスクロールを停止させる。その結果、異なるフォルダの内部が表示されることをユーザーが理解しやすくなるという利点がある。
【発明の効果】
【００２０】
本発明のリスト情報表示装置およびその制御プログラムは、表示領域が小さい場合に、仮にスクロールの表示速度が速くなったとしても、ユーザーがセパレータ表示情報を認識しやすくすることができる。
【図面の簡単な説明】
【００２１】
【図１】本発明の好ましい実施形態によるリスト情報表示装置を含むコンテンツ再生システムについて説明するブロック図である。（実施例１）
【図２】リスト情報表示装置の表示部において、コンテンツリストのスクロール表示を説明する図である。（実施例１）
【図３】リスト情報表示装置の制御部における表示制御を説明するフローチャートである。（実施例１）
【発明を実施するための形態】
【００２２】
以下、本発明の好ましい実施形態によるリスト情報表示装置およびその制御プログラムについて説明するが、本発明はこれらの実施形態には限定されない。
【実施例１】
【００２３】
図１は、本発明の好ましい実施形態によるリスト情報表示装置を含むコンテンツ再生システム１について説明するブロック図である。具体的には、リスト情報表示装置は、オーディオ装置２に無線接続されて、オーディオ装置２を操作するスマートフォン１０である。オーディオ装置２は、スピーカーシステム３に接続されて、音楽ファイル等のコンテンツに含まれる音声信号を音声として再生する。つまり、コンテンツ再生システム１は、スマートフォン１０にダウンロードされたコンテンツ再生・アプリケーションを操作することで、オーディオ装置２ならびにスピーカーシステム３を遠隔操作（リモートコントロール）して、音声再生することができる。なお、説明に不要な一部の構造や、内部構造等は、図示ならびに説明を省略している。
【００２４】
スマートフォン１０は、例えば、操作部及び表示部としての液晶タッチパネル部１１と、スマートフォン１０のオペレーションシステム（ＯＳ）またはアプリケーション、ならびに、コンテンツ等を記憶するメモリ部１２と、アプリケーションを実行する、あるいは、圧縮して記録されているコンテンツを伸張するなどの処理を実行するＣＰＵを含む制御部１３と、制御部１３から制御されて無線制御信号４をオーディオ装置２との間で送受信する送受信部１４と、を少なくとも含む。なお、無線制御信号４は、赤外線制御信号などの光信号であっても良く、また、有線／無線による他の制御信号であってもよい。
【００２５】
オーディオ装置２は、オーディオ装置２の制御ならびに圧縮して記録されているコンテンツを伸張するなどの処理を実行するＣＰＵを含む制御部２１と、コンテンツ等を記憶するハードディスクドライブ（ＨＤＤ）を含む記録部２２と、コンテンツのデジタル音声信号をアナログ音声信号に変換して増幅してスピーカーシステム３へ出力する音声出力部２３と、制御部２１から制御されて無線制御信号４をオーディオ装置２との間で送受信する送受信部２４と、を少なくとも含む。なお、オーディオ装置２から出力する音声信号は、モノラル信号、ステレオ信号、マルチチャンネル信号を問わず、また、アナログ信号でも、デジタル信号でもよい。
【００２６】
スマートフォン１０は、アプリケーションを実行することでオーディオ装置２のリモートコントローラーとして機能し、無線制御信号４をオーディオ装置２との間で送受信する。また、スマートフォン１０の制御部２１は、ユーザー操作をスマートフォン１０の液晶タッチパネル部１１に表示されるＧＵＩに反映させて、オーディオ装置２から音声再生させるコンテンツを、コンテンツリストに編集して液晶タッチパネル部１１に表示することができる。液晶タッチパネル部１１は、ＧＵＩを表示するとともに、フリック、ピンチなどのユーザーが指先でタッチパネルをなぞるようなユーザー操作を検出して制御部２１へ伝送し、制御部２１は、アプリケーションに基づいて、ＧＵＩを変更して液晶タッチパネル部１１に表示する。つまり、スマートフォン１０は、液晶タッチパネル部１１にコンテンツリストをスクロール表示させるリスト情報表示装置として機能する。
【００２７】
図２は、本実施例のスマートフォン１０の液晶タッチパネル部１１において、コンテンツリストのスクロール表示を説明する図である。図２（ａ）〜図２（ｄ）は、液晶タッチパネル部１１をユーザーが指先でフリックして表示されるコンテンツリストをスクロールさせて閲覧しようとする場合に、図２（ａ）から順番に遷移するＧＵＩ画面（ｂ）〜（ｄ）の様子を示している。例えば、このコンテンツリストは、仮想の「Music Store」での「Ranking」として好みのコンテンツファイルをコンテンツリストとしてまとめており、「Jazz」あるいは「Pops」といったジャンル毎にセクション分け（カテゴリ分け）したコンテンツにおいて、それぞれ１位から始まるランキング付けされた結果を昇順で表示している。
【００２８】
スマートフォン１０の液晶タッチパネル部１１に表示されるＧＵＩは、液晶タッチパネル部１１の上端部を含む表示領域Ｄｆ１と、液晶タッチパネル部１１の下端部を含む表示領域Ｄｆ２と、に半ば固定的な表示領域を設け、一方で、表示領域Ｄｆ１とＤｆ２との間に、上下方向にコンテンツリストがスクロール表示可能なスクロール表示領域Ｄｓｃを設けている。つまり、コンテンツリストは、スクロール表示領域Ｄｓｃの上端を規定する直線ｆ１と下端を規定する直線ｆ２との間に表示される。
【００２９】
ユーザーは、上下方向にスクロール可能なコンテンツリストの内で、スクロール表示領域Ｄｓｃに表示されているコンテンツを視認して、選択する操作が可能である。スクロール表示領域Ｄｓｃに収まらない仮想的に延長されたコンテンツリストの上側並びに下側は、直線ｆ１または直線ｆ２を境にして見えなくなる。コンテンツリスト大きさに対してスクロール表示領域Ｄｓｃが比較的に小さいことになるので、例えば、図２（ａ）に示すように、「Jazz」において「Ranking」の「１位：楽曲ＡＡ」から「４位：楽曲ＤＤ」までが表示されても、さらにスクロール操作しなければ、さらに下位の楽曲を表示できない。スクロール表示領域Ｄｓｃが比較的に小さいと、スクロール操作しても所望のコンテンツがなかなか出現しないことになるので、視認して選択する操作が困難になる。
【００３０】
本実施例のＧＵＩでは、それぞれの楽曲であるコンテンツをまとめるコンテンツリスト中に、複数のセクションを隔てるセパレータとしてコンテンツのカテゴリに相当する「Jazz」あるいは「Pops」を設けて、視認性・操作性を向上させている。このコンテンツリストでは、複数のセクションを隔てるセパレータにより、単一のコンテンツリストに複数のセクションを収めて異なる情報を表示させることができるようにしている。例えば、セパレータＳｐ２「Pops」は、２つの表示情報「Jazzのコンテンツのグループ」あるいは「Popsのコンテンツのグループ」の間を隔てて表示する。リストが含むセパレータは、そのカテゴリを代表する名称であると共に、下位の表示される表示情報を納めるフォルダとして機能する。
【００３１】
図２（ａ）に示すように、セパレータＳｐ１「Jazz」は、そのフォルダ内にその直近にリスト表示されるコンテンツＣ１０「１位：楽曲ＡＡ」という表示情報を少なくとも含み、ここではコンテンツＣ１３「４位：楽曲ＤＤ」までの情報だけでなく、図２（ｂ）に示すコンテンツＣ１９「１０位：楽曲ＪＪ」という表示情報までを含む。また、図２（ｂ）〜図２（ｄ）に示すように、リストが含むセパレータＳｐ２「Pops」は、そのフォルダ内にその直近にリスト表示されるコンテンツＣ２０「１位：楽曲ａａ」という表示情報を少なくとも含み、コンテンツＣ２８「９位：楽曲ｉｉ」という表示情報までを含む。
【００３２】
コンテンツリストが含むセパレータＳｐ１「Jazz」またはセパレータＳｐ２「Pops」は、スクロールにより移動してスクロール表示領域Ｄｓｃの上端を規定する直線ｆ１に到達した場合に、あるいは、下端を規定する直線ｆ２に到達した場合に、液晶タッチパネル部１１をユーザーが指先で上下にフリックする操作指示に関わらず、そこで停止する。つまり、スマートフォン１０の制御部１３は、リストが含むセパレータ表示情報が、スクロールにより移動して表示領域の一方端または他方端に到達した場合に、液晶タッチパネル部１１からの操作指示に関わらずリストのスクロールを停止させる。
【００３３】
これは、セパレータＳｐ１「Jazz」またはセパレータＳｐ２「Pops」は、液晶タッチパネル部１１からの操作指示に関わらずリストのスクロールを停止させるか、否かを定めるスクロール停止フラッグを含んでいるからである。スクロール停止フラッグが設定されている場合には、液晶タッチパネル部１１からの操作指示に関わらずリストのスクロールを停止させ、スクロール停止フラッグが設定されていない場合には、液晶タッチパネル部１１からの操作指示に基づいてリストのスクロールを継続する。したがって、スマートフォン１０の制御部１３は、フリック操作による画面スクロール中にスクロール停止フラッグが設定されているセパレータが視認可能なように現れた場合、液晶タッチパネル部１１でのスクロールを停止しセパレータを画面のトップにもっていくようにして、位置を固定する。
【００３４】
アプリケーションの起動開始時には、図２（ａ）に示すように、セパレータＳｐ１「Jazz」がコンテンツリストのトップであって、スクロール表示領域Ｄｓｃの上端を規定する直線ｆ１の下に判読可能に表示されている。セパレータＳｐ１が規定するセクション「Jazz」には、ランキングの１〜１０位がアイテムとして存在している。ランキング１位であるコンテンツＣ１０「１位：楽曲ＡＡ」が、セパレータＳｐ１「Jazz」の直近下にリストされ、その下に順番にコンテンツＣ１１「２位：楽曲ＢＢ」と、コンテンツＣ１２「３位：楽曲ＣＣ」と、コンテンツＣ１３「４位：楽曲ＤＤ」までが表示されている。
【００３５】
ユーザーが液晶タッチパネル部１１に表示されたスクロール表示領域Ｄｓｃを上方向にフリックすると、図２（ｂ）に示すように、コンテンツリストが上側方向へスクロールし、セクション「Jazz」の１０位のコンテンツＣ１９「１０位：楽曲ＪＪ」の次に、異なるセクションを隔てるセパレータＳｐ２「Pops」がスクロール表示領域Ｄｓｃに入ってきて視認可能になる。セパレータＳｐ２が規定するセクション「Pops」にも、同様にランキングの１〜１０位がアイテムとして存在している。ランキング１位であるコンテンツＣ２０「１位：楽曲ａａ」が、セパレータＳｐ２「Pops」の直近下にリストされ、その下に順番にコンテンツＣ２１「２位：楽曲ｂｂ」およびコンテンツＣ２２「３位：楽曲ｃｃ」が表示されている。
【００３６】
続いてユーザーが液晶タッチパネル部１１に表示されたスクロール表示領域Ｄｓｃを上方向にフリックすると、図２（ｃ）に示すように、さらにコンテンツリストが上側方向へスクロールし、セパレータＳｐ２「Pops」が移動してスクロール表示領域Ｄｓｃの上端を規定する直線ｆ１に到達した場合に、スマートフォン１０の制御部１３は、液晶タッチパネル部１１をユーザーが指先で上下にフリックする操作指示に関わらず、にコンテンツリストのスクロールを停止させる。したがって、スクロール表示領域Ｄｓｃが小さい場合に、仮にスクロールの表示速度が速くなったとしても、ユーザーがセパレータＳｐ２「Pops」を認識しやすくすることができ、その結果として、一つの表示情報のセクション「Jazz」のスクロール表示が終了して、次にセクションの間を隔てて表示するセパレータＳｐ２「Pops」がスクロール表示されることを認識できるようになる。
【００３７】
さらにユーザーが液晶タッチパネル部１１に表示されたスクロール表示領域Ｄｓｃを上方向にフリックすると、図２（ｄ）に示すように、スマートフォン１０の制御部１３は、コンテンツリストのスクロール表示を再開し、セパレータＳｐ２「Pops」を見えなくさせる一方で、セクション「Pops」のランキング５位であるコンテンツＣ２４「５位：楽曲ｅｅ」と、ランキング６位であるコンテンツＣ２５「６位：楽曲ｆｆ」と、ランキング７位であるコンテンツＣ２６「７位：楽曲ｇｇ」と、ランキング８位であるコンテンツＣ２７「８位：楽曲ｈｈ」と、ランキン９位であるコンテンツＣ２８「９位：楽曲ｉｉ」と、をスクロール表示領域Ｄｓｃにスクロール表示する。
【００３８】
つまり、液晶タッチパネル部１１からのスクロールの操作指示が一度停止して所定時間の経過後にスクロールの操作指示が再びされたときには、制御部１３は、コンテンツリストのスクロールを再開する。したがって、ユーザーがセパレータＳｐ２「Pops」というセパレータ表示情報を確認できる所定時間が経過すれば、再びスクロールの操作指示に基づいてコンテンツリストのスクロールを再開するので、スクロール操作中においてユーザーがセパレータ表示情報を認識しやすくなり、その結果、スクロールするリスト中の表示情報（コンテンツ）を認識しやすくなるという効果がある。
【００３９】
図３は、スマートフォン１０の制御部１３において実行するコンテンツリスト表示制御を説明するフローチャートである。フリックによるスクロール表示を開始する場合には、ユーザーが液晶タッチパネル部１１を操作して特定の方向にフリック操作を行うと、制御部１３は、リストの現在のセクションをメモリ部１２から読み出す処理を行い（Ｓ００１）、スクロール表示領域Ｄｓｃにおいてコンテンツリストをスクロール表示する。ここではスクロール表示領域Ｄｓｃに表示されているコンテンツリスト中に出現するコンテンツで最も上端側に表示されるコンテンツが属するセクションを現在のセクションとみなす。
【００４０】
制御部１３は、スクロール表示領域Ｄｓｃにおいてコンテンツリストを必要な分だけスクロールさせたかを判断し、条件に一致した場合は処理を終了させる（Ｓ００２：Ｙｅｓ）。コンテンツリストを必要な分だけスクロールさせていないと判断した場合は、コンテンツリストを一定量だけスクロールさせて（Ｓ００３）、現在の表示されているセクションが上記処理Ｓ００１で読み出したものと異なるか否か、つまり、次／前のセクションに移動したか否かを判断する（Ｓ００４）。次／前のセクションに移動していないと判断する場合（Ｓ００４：Ｎｏ）には、上記処理Ｓ００２に戻って、スクロール表示領域Ｄｓｃにおいてコンテンツリストを必要な分だけスクロールさせたかを再び判断する。
【００４１】
制御部１３は、次／前のセクションに移動したと判断する場合（Ｓ００４：Ｙｅｓ）には、そのセクションをメモリ部１２に保存する。ここではスクロール表示領域Ｄｓｃに表示されているコンテンツリスト中に出現するセパレータが、スクロール表示領域Ｄｓｃの最も上端側に表示された場合に、そのセパレータの属するセクションを変更されたセクションとみなす。
【００４２】
続いて制御部１３は、現在のセクションのセパレータのスクロール停止フラッグが、有効に設定されているか否かをチェックする（Ｓ００６）。スクロール停止フラッグが有効でなければ、上記処理Ｓ００２に戻って、スクロール表示領域Ｄｓｃにおいてコンテンツリストを必要な分だけスクロールさせたかを再び判断する（Ｓ００６：Ｎｏ）。一方、スクロール停止フラッグが有効であれば、液晶タッチパネル部１１からの操作指示に関わらずコンテンツリストのスクロールを停止させる（Ｓ００７）。制御部１３は、有効なスクロール停止フラッグに基づいてコンテンツリストのスクロールを停止させた後、所定時間の経過を待つようにする。例えば、設定可能な０．１秒〜３秒程度を経過するまで、コンテンツリストのスクロールを停止させる（Ｓ００７）。
【００４３】
所定時間を経過すれば、所定時間内にスクロールの操作指示が再びされたか否かを判断する（Ｓ００８）。液晶タッチパネル部１１からのスクロールの操作指示が一度停止して所定時間の経過後にスクロールの操作指示が再びされない場合には（Ｓ００８：Ｎｏ）、処理を終了する。一方で、液晶タッチパネル部１１からのスクロールの操作指示が一度停止して所定時間の経過後にスクロールの操作指示が再びされたときには（Ｓ００８：Ｙｅｓ）、上記処理Ｓ００２に戻って、スクロール表示領域Ｄｓｃにおいてコンテンツリストを必要な分だけスクロールさせたかを再び判断する。この様に、ユーザーがセパレータ表示情報を確認できる所定時間が経過すれば、再びスクロールの操作指示に基づいてコンテンツリストのスクロールを再開するので、スクロール操作中においてユーザーがセパレータ表示情報を認識しやすくなり、その結果、スクロールするリスト中の表示情報（コンテンツ）を認識しやすくなるという効果がある。
【００４４】
なお、上記の図２の説明では、セクション「Jazz」とセクション「Pops」との間を隔てて表示するセパレータＳｐ２「Pops」が、スクロール停止フラッグを設定されている場合を説明したが、セパレータがスクロール停止フラッグを設定されていない場合は、通常のスクロール表示と同様にしてセパレータＳｐ２「Pops」がスクロール表示領域Ｄｓｃの上端に到達しても、制御部１３は、リストのスクロールを停止しない。つまり、ユーザーの設定により興味の低いセクションに関するセパレータは、スクロールに伴って停止しないようにすることもできる。
【００４５】
また、２つのセクションを隔てるセパレータは、スクロール表示領域Ｄｓｃの外側からスクロール表示領域Ｄｓｃの内側に出現する場合には、設定されているスクロール停止フラッグを無視してスクロールを停止しないようにしてもよい。つまり、スクロール表示領域Ｄｓｃの内側に目視可能に表示されたセパレータが、スクロールにより移動してスクロール表示領域Ｄｓｃの一方端または他方端に到達した場合に限って、セパレータが含むスクロール停止フラッグに基づいて液晶タッチパネル部１１からの操作指示に関わらずコンテンツリストのスクロールを停止させるか、否かを判断するようにしてもよい。このようにすることで、仮にスクロールの表示速度が速くなったとしても、ユーザーがセパレータ表示情報を見落としにくくなり、認識しやすくすることができる。
【００４６】
また、上記実施例では、セパレータＳｐがスクロール表示領域Ｄｓｃの上端を規定する直線ｆ１に到達する場合にコンテンツリストのスクロールを停止させる場合を説明したが、もちろん、セパレータＳｐがスクロール表示領域Ｄｓｃの下端を規定する直線ｆ２に到達する場合に適用されても良い。また、上記実施例では、上下方向にスクロール表示する場合として説明されているが、当然に左右方向にスクロール表示する場合にも適用可能である。
【００４７】
また、上記実施例では、音声信号を含む音楽コンテンツに関するコンテンツリストの場合を説明したが、コンテンツリストを表示するリスト情報表示装置としては、映像または写真のコンテンツリストを対象にしても良く、また、他のいかなるコンテンツリストにも於いても、複数のセクションに分けるセパレータ／フォルダを含むコンテンツリストにも適用可能である。もちろん、セパレータは、そのセクションのコンテンツを含むフォルダである必要はなく、そのセクションのコンテンツと何らかの手段で紐づけられていればよい。
【００４８】
なお、上記実施例のコンテンツ再生システム１を構成するオーディオ装置２並びにスピーカーシステム３は、音声信号を入力信号とするアンプおよびスピーカーを含む音声再生装置であるが、スマートフォン１０は、携帯電話、タブレット端末、あるいは、リモートコントローラーであればよく、オーディオ装置２から映像信号を出力して図示しない他のディスプレイ装置などにコンテンツリストを表示させる構成としていてもよい。また、本発明のリスト情報表示装置は、パーソナル・コンピューター等の電子計算機に内蔵されていてもよく、上記実施例のオーディオ装置２並びにスピーカーシステム３一体に構成されていてもよい。
【産業上の利用可能性】
【００４９】
本発明のリスト情報表示装置は、音声信号含むコンテンツを再生するオーディオ装置、ステレオ装置、あるいは、マルチチャンネルサラウンド音声再生装置のみならず、ディスプレイ等の映像・音響機器、等にも適用が可能である。
【符号の説明】
【００５０】
１        コンテンツ再生システム
２        オーディオ装置
３        スピーカーシステム
４        無線制御信号
１０      スマートフォン
１１      液晶タッチパネル部
１２      メモリ部
１３      制御部
１４      送受信部
２１      制御部
２２      記録部
２３      音声出力部
２４      送受信部
【図１】
2015103036.tif 000003
【図２】
2015103036.tif 000004
【図３】
2015103036.tif 000005